(57)【要約】本発明は、ＳＲＶＣＣで同じ番号をサポートするシステム及び方法を提供する。本発明に係るＳＲＶＣＣで同じ番号をサポートする方法は、ＩＭＳネットワーク、ＣＳネットワーク、第一の端末装置と第二の端末装置において、第一の端末がユーザ番号を使用してＩＭＳネットワークに前記第二の端末装置とセッションを確立することに用いられ、またそれが発呼側であり、ＩＭＳネットワークからＣＳネットワークに切り替える場合、前記ユーザ番号を使用してＣＳネットワークに前記第二の端末装置とセッションを確立することに用いられることを含む。当該方法により、ＳＲＶＣＣシステムがドメインを切り替える時に同じ番号を使用して異なるネットワークにセッションを確立することをサポートし、ＳＲＶＣＣシステムの動作効率を向上させ、ユーザの使用のために便利を与えることができる。【選択図】図４
2015523796.tif 000002
【特許請求の範囲】
【請求項１】
ＳＲＶＣＣで同じ番号をサポートする方法であって、
第一の端末装置がユーザ番号を使用してＩＭＳネットワークに第二の端末装置とセッションを確立するステップと、
第一の端末装置が発呼側であり、且つＩＭＳネットワークからＣＳネットワークに切り替える場合、第一の端末装置が前記ユーザ番号を使用してＣＳネットワークに前記第二の端末装置とセッションを確立するステップと、を含むことを特徴とする方法。
【請求項２】
第一の端末装置がＩＭＳネットワークに初期登録する場合、ＩＭＳネットワークがＣＳネットワークのユーザ位置情報を更新するステップをさらに含むことを特徴とする
請求項１に記載のＳＲＶＣＣで同じ番号をサポートする方法。
【請求項３】
第二の端末装置が発呼側としてＩＭＳネットワーク又はＣＳネットワークに第一の端末装置を呼び出す場合、ＩＭＳネットワーク又はＣＳネットワークがユーザ位置情報を検索し、第一の端末装置の存在するネットワークを判定し、且つ当該ネットワークに第一の端末装置とセッションを確立するステップをさらに含むことを特徴とする
請求項２に記載のＳＲＶＣＣで同じ番号をサポートする方法。
【請求項４】
第一の端末装置がＩＭＳネットワークからＣＳネットワークに切り替える場合、第一の端末装置が前記ユーザ番号を使用してＣＳネットワークに前記第二の端末装置とセッションを確立することは、
第一の端末装置が前記ユーザ番号を使用してＣＳネットワークにＳＣＣ  ＡＳと呼び出しを確立し、
ＣＳＣＦがＳＣＣ  ＡＳをトリガし、
ＳＣＣ  ＡＳが元のＩＭＳネットワークの呼び出しを検索し、現在の呼び出しを元のＩＭＳネットワークの呼び出しに続き、第二の端末装置とのセッションを確立し、元のＩＭＳドメインの呼び出しを解放することを含むことを特徴とする
請求項１又は２に記載のＳＲＶＣＣで同じ番号をサポートする方法。
【請求項５】
前記ＩＭＳネットワークがＣＳネットワークのユーザ位置情報を更新することは、
ＩＭＳネットワークが第一の端末装置のユーザ位置情報を記憶し、
ＩＭＳネットワークが要求メッセージをＣＳネットワークに位置するＨＬＲに送信し、第一の端末装置のユーザ位置情報を更新するようにＨＬＲに通知し、
ＨＬＲがＩＭＳネットワークから取得された第一の端末装置のユーザ位置情報を記憶することを含むことを特徴とする
請求項２又は３に記載のＳＲＶＣＣで同じ番号をサポートする方法。
【請求項６】
ＳＲＶＣＣで同じ番号をサポートするシステムであって、
ＩＭＳネットワーク、ＣＳネットワーク、第一の端末装置と第二の端末装置を備え、
第一の端末装置がユーザ番号を使用してＩＭＳネットワークに前記第二の端末装置とセッションを確立するように構成され、
さらに前記第一の端末装置が発呼側であり、ＩＭＳネットワークからＣＳネットワークに切り替える場合、前記ユーザ番号を使用してＣＳネットワークに前記第二の端末装置とセッションを確立するように構成されるＳＲＶＣＣで同じ番号をサポートするシステム。
【請求項７】
前記ＩＭＳネットワークは、第一の端末装置がＩＭＳネットワークに初期登録する場合、ＣＳネットワークのユーザ位置情報を更新するように構成されることを特徴とする
請求項６に記載のＳＲＶＣＣで同じ番号をサポートするシステム。
【請求項８】
前記第二の端末装置は、ＩＭＳネットワーク又はＣＳネットワークに第一の端末装置を呼び出すように構成され、前記ＩＭＳネットワーク又はＣＳネットワークが発呼側とする第二の端末装置の第一の端末装置に対する呼び出しを受信する場合、ユーザ位置情報を検索して、第一の端末装置の存在するネットワークを判定し、第一の端末装置の存在するネットワークに第一の端末装置と呼び出しを確立するように構成されることを特徴とする
請求項７に記載のＳＲＶＣＣで同じ番号をサポートするシステム。
【請求項９】
前記ＩＭＳネットワークは、ＳＣＣ  ＡＳとＣＳＣＦを含み、前記第一の端末装置は、前記ユーザ番号を使用してＣＳネットワークにＳＣＣ  ＡＳと呼び出しを確立するように構成され、前記ＣＳＣＦが前記ＳＣＣ  ＡＳをトリガすることに用いられ、前記ＳＣＣ  ＡＳが元のＩＭＳドメインの呼び出しを検索し、現在の呼び出しを元のＩＭＳネットワークの呼び出しに続き、第二の端末装置とのセッションを確立し、元のＩＭＳネットワークの呼び出しを解放することに用いられることを特徴とする
請求項６又は７に記載のＳＲＶＣＣで同じ番号をサポートするシステム。
【請求項１０】
前記ＣＳネットワークは、ＨＬＲを含み、前記ＩＭＳネットワークは、第一の端末のユーザ位置情報を記憶し、要求メッセージをＣＳネットワークに位置するＨＬＲに送信し、第一の端末装置のユーザ位置情報を更新するようにＨＬＲに通知することに用いられ、前記ＨＬＲは、ＩＭＳネットワークから第一の端末装置のユーザ位置情報を取得し、そして第一の端末装置のユーザ位置情報を記憶することに用いられることを特徴とする
請求項７又は８に記載のＳＲＶＣＣで同じ番号をサポートするシステム。
【発明の詳細な説明】
【技術分野】
【０００１】
本発明は、無線通信分野に関し、特にＳＲＶＣＣで同じ番号をサポートするシステム及び方法に関する。
【背景技術】
【０００２】
インターネットプロトコルマルチメディアサブシステム（ＩＰ  Ｍｕｌｔｉｍｅｄｉａ  Ｓｕｂｓｙｓｔｅｍ：ＩＭＳ）は、将来のマルチメディア通信の発展方向であり、次世代ネットワークの最も重要な構成部分でもある。それは、第三世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）に提案された、ＩＰマルチメディアサービスをサポートするサブシステムであって、その顕著な特徴がセッション初期プロトコル（Ｓｅｓｓｉｏｎ  Ｉｎｉｔｉａｌ  Ｐｒｏｔｏｃｏｌ：ＳＩＰ）アーキテクチャを使用するので、通信がアクセスモードに関わらなく、様々なマルチメディアサービスへの制御機能とベアラ能力の分離、呼び出しとセッションの分離、応用とサービスの分離、サービスとネットワークの分離、及びモバイルネットワークとインターネットのサービスの統合などの様々な機能を備えることができることである。
【０００３】
ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）は、３ＧＰＰに提案されたＶｏＬＴＥ音声サービス連続性スキームであり、主に、シングルＲＦのＵＥがＬＴＥ／Ｐｒｅ―ＬＴＥネットワークと２Ｇ／３Ｇ  ＣＳネットワークの間に移動する場合、どのように音声呼び出し連続性を保証するかの問題を解決し、即ちＩＭＳによって制御されたＶｏＩＰ音声とＣＳドメイン音声の間のシングルＲＦのＵＥのスムーズな切り替えを保証する。ＳＲＶＣＣがＳｉｎｇｌｅ  ＲａｄｉｏのＵＥに対応し、即ちＵＥが同じ時間に２Ｇ／３ＧのＲａｄｉｏ、ＬＴＥのＲａｄｉｏのうちの一つしかを使用できなく、ＳＲの需要が端末メーカーより提出されたものであり、その目的が２Ｇ／３Ｇ、ＬＴＥネットワークのＲＦと関連回路を多重化させることである。ＳＲＶＣＣは、Ｓｉｎｇｌｅ  Ｒａｄｉｏであるので、Ｒａｄｉｏ間での切り替えが速いという特有の性質を持っているが、切り替える前に、ＣＳと関連するネットワーク側チャネルを確立し、遠隔端末を更新する必要がある。
【０００４】
ＳＲＶＣＣの切り替えは、プロセス設計において、まずＣＳのチャネル確立及びＲｅｍｏｔｅ  Ｕｐｄａｔｅを行い、次にＰＳ  ｔｏ  ＣＳ  Ｈａｎｄｏｖｅｒを行い、ローミングの場合で、Ｒｅｍｏｔｅ  Ｕｐｄａｔｅのための時間消費が秒レベルである。
【０００５】
３ＧＰＰに定義されたＳＲＶＣＣシステムは、切り替える時に、ユーザがＩＭＳとＣＳネットワークに２つの異なるユーザ番号を使用しなければならないので、ＳＲＶＣＣシステムの動作効率が低下し、他方では、実際の運転中に、ユーザに不便を与えることに関する。
【発明の概要】
【発明が解決しようとする課題】
【０００６】
本発明が解決しようとする主な技術的問題は、ＳＲＶＣＣで同じ番号をサポートするシステム及び方法を提供し、ＳＲＶＣＣシステムの動作効率を向上させ、ユーザの使用のために便利を与えることができることである。
【課題を解決するための手段】
【０００７】
上記の技術的問題を解決するために、本発明は、ＳＲＶＣＣで同じ番号をサポートする方法を提供し、具体的な技術的スキームが以下の通りである。
ＳＲＶＣＣで同じ番号をサポートする方法は、
第一の端末装置がユーザ番号を使用してＩＭＳネットワークに第二の端末装置とセッションを確立するステップと、
第一の端末装置が発呼側であり、且つＩＭＳネットワークからＣＳネットワークに切り替える場合、第一の端末装置が前記ユーザ番号を使用してＣＳネットワークに前記第二の端末装置とセッションを確立するステップと、を含む。
好ましくは、前記ＳＲＶＣＣで同じ番号をサポートする方法は、第一の端末装置がＩＭＳネットワークに初期登録する時に、ＩＭＳネットワークがＣＳネットワークのユーザ位置情報を更新するステップをさらに含む。
【０００８】
好ましくは、前記ＳＲＶＣＣで同じ番号をサポートする方法は、第二の端末装置が発呼側としてＩＭＳネットワーク又はＣＳネットワークに第一の端末装置を呼び出す場合、ＩＭＳネットワーク又はＣＳネットワークがユーザ位置情報を検索し、第一の端末装置の存在するネットワークを判定し、且つ当該ネットワークに第一の端末装置とセッションを確立するステップをさらに含む。
【０００９】
好ましくは、第一の端末装置がＩＭＳネットワークからＣＳネットワークに切り替える場合、第一の端末装置が前記ユーザ番号を使用してＣＳネットワークに前記第二の端末装置とセッションを確立する具体的なプロセスは、
第一の端末装置が前記ユーザ番号を使用してＣＳネットワークにＳＣＣ  ＡＳと呼び出しを確立し、
ＣＳＣＦがＳＣＣ  ＡＳをトリガし、
ＳＣＣ  ＡＳが元のＩＭＳネットワークの呼び出しを検索し、現在の呼び出しを元のＩＭＳネットワークの呼び出しに続き、第二の端末装置とのセッションを確立し、元のＩＭＳドメインの呼び出しを解放することを含む。
【００１０】
好ましくは、前記ＩＭＳネットワークがＣＳネットワークのユーザ位置情報を更新するプロセスは、
ＩＭＳネットワークが第一の端末装置のユーザ位置情報を記憶し、
ＩＭＳネットワークが要求メッセージをＣＳネットワークに位置するＨＬＲに送信し、第一の端末装置のユーザ位置情報を更新するようにＨＬＲに通知し、
ＨＬＲがＩＭＳネットワークから取得された第一の端末装置のユーザ位置情報を記憶することを含む。
【００１１】
同様に、上記の技術的問題を解決するために、本発明は、また、ＳＲＶＣＣで同じ番号をサポートするシステムを提供し、その具体的な技術的スキームが以下の通りである。
ＳＲＶＣＣで同じ番号をサポートするシステムは、ＩＭＳネットワーク、ＣＳネットワーク、第一の端末装置と第二の端末装置を備え、
第一の端末装置がユーザ番号を使用してＩＭＳネットワークに前記第二の端末装置とセッションを確立するように構成され、
さらに前記第一の端末装置が発呼側であり、ＩＭＳネットワークからＣＳネットワークに切り替える場合、前記ユーザ番号を使用してＣＳネットワークに前記第二の端末装置とセッションを確立するように構成される。
【００１２】
好ましくは、前記ＩＭＳネットワークは、第一の端末装置がＩＭＳネットワークに初期登録する場合、ＣＳネットワークのユーザ位置情報を更新するように構成される。
【００１３】
好ましくは、前記第二の端末装置は、ＩＭＳネットワーク又はＣＳネットワークに第一の端末装置を呼び出すように構成され、前記ＩＭＳネットワーク又はＣＳネットワークが発呼側とする第二の端末装置の第一の端末装置に対する呼び出しを受信する場合、ユーザ位置情報を検索して、第一の端末装置の存在するネットワークを判定し、第一の端末装置の存在するネットワークに第一の端末装置と呼び出しを確立するように構成される。
【００１４】
好ましくは、前記ＩＭＳネットワークは、ＳＣＣ  ＡＳとＣＳＣＦを含み、前記第一の端末装置は、前記ユーザ番号を使用してＣＳネットワークにＳＣＣ  ＡＳと呼び出しを確立するように構成され、前記ＣＳＣＦが前記ＳＣＣ  ＡＳをトリガするように構成され、前記ＳＣＣ  ＡＳが元のＩＭＳドメインの呼び出しを検索し、現在の呼び出しを元のＩＭＳネットワークの呼び出しに続き、第二の端末装置とのセッションを確立し、元のＩＭＳネットワークの呼び出しを解放するように構成される。
【００１５】
好ましくは、前記ＣＳネットワークは、ＨＬＲを含み、前記ＩＭＳネットワークは、第一の端末のユーザ位置情報を記憶し、要求メッセージをＣＳネットワークに位置するＨＬＲに送信し、第一の端末装置のユーザ位置情報を更新するようにＨＬＲに通知することに用いられ、前記ＨＬＲは、ＩＭＳネットワークから第一の端末装置のユーザ位置情報を取得し、そして第一の端末装置のユーザ位置情報を記憶することに用いられる。
【００１６】
本発明の有益な効果は、
本発明に係るＳＲＶＣＣで同じ番号をサポートするシステム及び方法によれば、端末は、ネットワークに切り替える時に、同じユーザ番号を使用し、ユーザの使用のために便利を与え、システムにおいて第一の端末装置が発呼側としてネットワークを切り替える時に、同じユーザ番号を使用して異なるネットワークに第二の端末装置と呼び出しを確立し、ＳＲＶＣＣシステムの動作効率を向上させ、同時に第一の端末装置が被呼側である場合、ＩＭＳネットワークがユーザ位置情報を保存してＣＳネットワークにおけるＨＬＲのユーザ位置情報を更新することにより、第二の端末装置が第一の端末装置を呼び出す時に、第一の端末装置の存在する初期ネットワークを介して、第一の端末装置と呼び出しを確立して、第一の端末装置が同じユーザ番号を使用するのでネットワークを識別できない問題を解決することができる。
【図面の簡単な説明】
【００１７】
【図１】本発明の実施形態に係るＳＲＶＣＣで同じ番号をサポートするシステムの構成を示す図である。
【図２】本発明の実施形態に係るＳＲＶＣＣで同じ番号をサポートするシステムのＩＭＳネットワークがＣＳネットワークのユーザ位置を更新するフローチャートである。
【図３】本発明の実施形態に係るＳＲＶＣＣで同じ番号をサポートするシステムの別の構成を示す図である。
【図４】本発明の実施形態に係るＳＲＶＣＣで同じ番号をサポートするシステムの第一の端末装置が正常に呼び出す場合のドメイン切り替えフローチャートである。
【図５】本発明の実施形態に係るＳＲＶＣＣで同じ番号をサポートするシステムの第一の端末装置が正常に呼び出す場合の切り替えのシグナリング交換を示す図である。
【図６】本発明の実施形態に係るＳＲＶＣＣで同じ番号をサポートするシステムの第一の端末装置が被呼側である場合のドメイン切り替えフローチャートである。
【図７】本発明の実施形態に係るＳＲＶＣＣで同じ番号をサポートするシステムの第一の端末装置が被呼側である場合の切り替えのシグナリング交換を示す図である。
【図８】本発明の実施形態に係るＳＲＶＣＣで同じ番号をサポートするシステムの第一の端末装置が発呼側である場合のドメイン切り替えフローチャートである。
【図９】本発明の実施形態に係るＳＲＶＣＣで同じ番号をサポートするシステムの第一の端末装置が被呼側である場合のシグナリング交換を示す図である。
【発明を実施するための形態】
【００１８】
以下に具体的な実施形態で図面を参照して本発明をさらに詳しく説明する。
図１を参照すると、本発明の実施形態に係るＳＲＶＣＣで同じ番号をサポートするシステムであって、ＩＭＳネットワーク、ＣＳネットワーク、第一の端末装置と第二の端末装置を備え、
第一の端末装置がユーザ番号を使用してＩＭＳネットワークに前記第二の端末装置とセッションを確立するように構成され、さらにそれが発呼側であり、ＩＭＳネットワークからＣＳネットワークに切り替える場合、前記ユーザ番号を使用してＣＳネットワークに前記第二の端末装置とセッションを確立するように構成される。
【００１９】
本実施形態における第一の端末装置は、発呼側とする時にユーザ番号を使用してＩＭＳネットワークに第二の端末装置を呼び出し、ＩＭＳネットワークの原因で第一の端末装置がネットワークを切り替え、即ちＩＭＳネットワークからＣＳネットワークに切り替える必要がある場合、この前のユーザ番号を使用してＣＳネットワークに呼び出しを開始し、第二の端末即ち被呼側とセッションを確立し、当該第一の端末がＣＳネットワークとＩＭＳネットワークに同じユーザ番号を使用して、第二の端末に対する呼び出しを開始し、それとセッションを確立する。例えば、ＵＥ−Ａが携帯電話を使用してＩＭＳネットワークに番号１３４８０８４１９５２でＵＥ−Ｂを呼び出し、ＵＥ−ＡがＩＭＳネットワークのカバーエッジに移動する時に、ネットワーク切り替えを開始し、同様に番号１３４８０８４１９５２でＣＳネットワークにＵＥ−Ｂを呼び出し、ＵＥ−ＡがＣＳネットワークにＵＥ−Ｂと成功にセッションを確立した後、元のＩＭＳネットワークにおける呼び出しを解放する。本実施形態に係るシステムを使用するユーザは、１だけの番号で２つのネットワークに相手側ユーザとセッションを確立することができる。
【００２０】
第一の端末装置が２つのネットワークに同じ番号を使用するので、被呼側とする場合、発呼側がどのネットワークから第一の端末装置を呼び出すかを知らないので、第一の端末装置の基本的な呼び出し問題を解決するために、本実施形態に係るシステムにおけるＩＭＳネットワークは、第一の端末装置がＩＭＳネットワークに初期登録する場合、ＣＳネットワークのユーザ位置情報を更新することに用いられる。このように発呼側ユーザが２つのネットワークに同じ番号を使用するユーザを呼び出す時に、ユーザの位置情報により、被呼側ユーザの存在するネットワークを判定することができ、第一の端末装置の存在するネットワークに第一の端末装置と呼び出しを確立する。ＵＥ−Ａが被呼側とし、ＵＥ―Ｂが発呼側としてＣＳネットワークに呼び出しを開始する場合、呼び出しの基本的なプロセスは、
ＵＥ−ＢがＣＳネットワークに呼び出しを開始し、
ＣＳネットワークが被呼側ＵＥ―Ａユーザの現在の位置情報を検索し、ＵＥ−Ａの存在するネットワークを判定し、ＩＭＳネットワークに存在すれば、呼び出しをＩＭＳネットワークにルーティングしてＵＥ―Ａとセッションを確立することである。
【００２１】
本実施形態に係るＩＭＳネットワークがＣＳネットワークのユーザ位置を更新する主要なプロセスは、
ＩＭＳネットワークが第一の端末のユーザ位置情報を記憶し、
ＩＭＳネットワークが要求メッセージをＣＳネットワークに位置するホーム位置レジスタ（Ｈｏｍｅ  Ｌｏｃａｔｉｏｎ  Ｒｅｇｉｓｔｅｒ：ＨＬＲ）に送信し、第一の端末装置のユーザ位置情報を更新するようにＨＬＲに通知し、
ＨＬＲがＩＭＳネットワークから取得された第一の端末装置のユーザ位置情報を記憶することを含む。
【００２２】
図２を参照すると、具体的なＩＭＳネットワークがＣＳネットワークのユーザ位置を更新する具体的なプロセスは、
Ｄ００１０、ユーザがＩＭＳドメインに初期登録を開始し、
Ｄ００２０、ユーザがＣＳＣＦで成功に登録した後、ＳＣＳＣＦがｉＦＣトリガルールに基づいてＳＳＳへの第三者の登録をトリガし、
Ｎ００３０、第三者が成功に登録し、ＳＳＳがホーム位置レジスタ（Ｈｏｍｅ  Ｌｏｃａｔｉｏｎ  Ｒｅｇｉｓｔｅｒ：ＨＬＲ）にＭＡＰ−Ｕｐｄａｔｅ−Ｌｏｃａｔｉｏｎ−Ｒｅｑｕｅｓｔ要求メッセージを送信し、ユーザの現在の位置情報を通知し、
Ｄ００４０、ＨＬＲがＳＳＳから送信されたＭＡＰ−Ｕｐｄａｔｅ−Ｌｏｃａｔｉｏｎ−Ｒｅｑｕｅｓｔを受信した後にＳＳＳにＭＡＰ−Ｉｎｓｅｒｔ−Ｓｕｂｓｃｒｉｂｅｒ−Ｄａｔｅ−Ｒｅｑｕｅｓｔメッセージを送信してユーザの現在の位置情報の取得を要求し、ＳＳＳがＭＡＰ−Ｉｎｓｅｒｔ−Ｓｕｂｓｃｒｉｂｅｒ−Ｄａｔａ−Ｒｅｓｐｏｎｓｅメッセージで応答メッセージをＨＬＲに返し、
Ｄ００５０、ＨＬＲが成功にユーザ位置情報を記憶した後にＭＡＰ−Ｕｐｄａｔｅ−Ｌｏｃａｔｉｏｎ−Ｒｅｓｐｏｎｓｅメッセージを返す場合、ユーザが成功に登録することである。
【００２３】
被呼側ユーザがＩＭＳドメインにローミングし且つ成功に登録し、発呼側がＣＳドメインから呼び出しを開始する場合、具体的なプロセスは、
ＧＭＳＣがＨＬＲを検索して被呼側ユーザの現在の位置情報がＩＭＳドメインにあることを取得し、呼び出し要求をＳＣＣ  ＡＳにルーティングし、
ＳＣＣ  ＡＳによって被呼番号の前にアクセスコードＡＣを添加して送り返し、
ＧＭＳＣがＡＣを分析して要求をＭＧＣＦにルーティングし、ＭＧＣＦがＡＣを除去した後に呼び出し要求をＩＭＳドメインにルーティングして対応するサービス処理を行うことである。
【００２４】
上述したＳＲＶＣＣＣで同じ番号をサポートするシステムは、ＩＭＳネットワークに主にサービス連続性サーバ（Ｓｉｎｇｌｅ  Ｃａｌｌ  Ｃｏｎｔｉｎｉｔｙ  Ａｐｐｌｉｃａｔｉｏｎ  Ｓｅｒｖｅｒ：ＳＣＣ  ＡＳ）と呼び出しセッション制御機能（Ｃａｌｌ  Ｓｅｓｓｉｏｎ  Ｃｏｎｔｒｏｌ  Ｆｕｎｃｔｉｏｎ：ＣＳＣＦ）を含んで実現され、ユーザがＩＭＳドメインからＣＳドメインに切り替えることは、同じ番号の場合の正常な呼び出し中の切り替え、リンギング状態切り替え（発呼）、リンギング状態切り替え（被呼）の３つの場合を含み、以下にそれぞれ詳しく説明される。
【００２５】
ＩＭＳネットワークにより第一の端末装置がＣＳネットワークに第二の端末装置とセッションを確立することは、ＳＣＣ  ＡＳとＣＳＣＦにより実現され、本実施形態における第一の端末装置が発呼側として切り替えを開始するプロセスは、ＳＲＶＣＣシステムのユーザＵＥ―ＡがＣＳドメインとＩＭＳドメインに同じ番号を有して同じユーザ番号を使用し、ＩＭＳドメインに成功に登録し、且つ呼び出しを確立し、ＩＭＳドメインからＣＳドメインに切り替え、ＳＲＶＣＣユーザがＣＳドメインに登録した後に呼び出しを開始し、被呼番号がＶＤＮであり、ＩＭＳドメインにおける呼び出しセッション制御機能（Ｃａｌｌ  Ｓｅｓｓｉｏｎ  Ｃｏｎｔｒｏｌ  Ｆｕｎｃｔｉｏｎ：ＣＳＣＦ）により呼び出しをＳＣＣ  ＡＳにルーティングし、ＳＣＣ  ＡＳが元のＩＭＳドメインの呼び出しを検索し、現在の呼び出しを元のＩＭＳドメインの呼び出しに続き、元の相手側ユーザとのセッションを確立し、ＳＲＶＣＣユーザの元のＩＭＳドメインの呼び出しを解放することである。実際の切り替えプロセスにおいて一般的にＵＥ―Ａの代わりにＭＳＣによりネットワークを切り替え、当該ＳＲＶＣＣの具体的な構成は、図３に示される。
【００２６】
図４を参照すると、実際には正常な呼び出し中に切り替える具体的なプロセスは、
Ｎ００１０、ユーザＵＥ―ＡがＩＭＳドメインに成功に登録し、且つＳＲＶＣＣサービスの契約を締結し、ＵＥ―Ｂと呼び出し中にあり、ドメイン切り替えを開始し、
Ｎ００２０、ＭＳＣがＣＳドメインにＵＥ―Ａの代わりにドメイン切り替えを開始し、被呼番号がＶＤＮであり、呼び出しをＩＭＳドメインからＣＳドメインに切り替えることを示し、
Ｎ００３０、ＣＳＣＦがＰＳＩに従ってＳＣＣ  ＡＳをトリガし、
Ｎ００４０、ＳＣＣ  ＡＳがドメイン切り替えを行って、ＵＥ―Ａの元のＩＭＳドメインの呼び出しを検索して、元の被呼側にＲｅ―ＩＮＶＩＴＥメディア切り替えを開始し、
Ｎ００５０、ＭＳＣがＵＥ−Ａの代わりに元のセッションにおけるＵＥ−Ｂとメディアネゴシエーションを完了し、
Ｎ００６０、ＭＳＣがＵＥ−Ａの代わりにＣＳドメインにＵＥ−Ｂとセッションに入り、
Ｎ００７０、ＳＣＣ−ＡＳがタイマーに基づいて元のＵＥ−Ａの呼び出しを解放する（すぐに解放できない）ことである。
【００２７】
詳しいシグナリングプロセスについて図５を参照する。以下に図５を参照して、図４に示す呼び出し中における切り替えプロセスを説明する。
【００２８】
ＵＥ−ＡがＩＭＳによりＣＳＣＦに被呼側ＵＥ−Ｂへの呼び出し要求メッセージ（ＩＮＶＩＴＥ  Ｂ（ＳＤＰ  Ａ  Ｏｆｆｅｒ））を送信し、ＣＳＣＦが当該ＩＮＶＩＴＥメッセージをＳＣＣ−ＡＳに転送し、ＳＣＣ−ＡＳがＣＳＣＦにＩＮＶＩＴＥメッセージの受信確認メッセージを送信し、確認メッセージにＵＥ−Ｂの関連情報が含まれ、ＣＳＣＦがＩＮＶＩＴＥメッセージによりＵＥ−Ｂに直接呼び出し要求を開始し、ＵＥ−ＢがＣＳＣＦによりＵＥ−Ａに１８０リンギングメッセージを返し、ＵＥ−ＢがさらにＣＳＣＦによりＵＥ−Ａに２００ＯＫメッセージを返し、そしてＩＭＳドメインの呼び出しを確立する。
ＵＥ−Ａがドメイン切り替えを開始し、ＭＳＣがＣＳドメインにＵＥ−Ａの代わりにＣＳＣＦにＩＮＶＩＴＥ要求メッセージを送信し、ドメイン切り替えを開始し、被呼番号がＶＤＮであり、ＣＳＣＦがＰＳＩに従ってＳＣＣ  ＡＳをトリガし、ＳＣＣ  ＡＳがドメイン切り替えを行い、ＵＥ−Ａの元のＩＭＳドメインの呼び出しを検索し、被呼側にＲｅ−ＩＮＶＩＴＥメディア切り替えを開始し、ＭＳＣがＵＥ−Ａの代わりに元のセッションにおけるＵＥ−Ｂとメディアネゴシエーションを完了し、ＭＳＣがＵＥ−Ａの代わりにＣＳドメインにＵＥ−Ｂとセッションに入る。ＳＣＣ−ＡＳがタイマーに基づいて元のＵＥ−Ａの呼び出しを解放する。
【００２９】
本実施形態におけるＵＥ−Ａが被呼側である場合即ちリンギング状態にある場合、いくつかのネットワーク原因で、他のネットワークに切り替えてセッションを行う必要もあり、具体的な切り替えプロセスは、以下の通りであって、図６を参照する。
【００３０】
Ｚ００１０、ＵＥ−ＡがＵＥ−Ｂの呼び出しを受信し、そしてリンギング状態にあり、アクセスネットワークの原因で、ＳＲＶＣＣ切り替えを行う必要がある。
【００３１】
Ｚ００２０、ＭＳＣがＣＳドメインにＵＥ−Ａの代わりにドメイン切り替えを開始し、被呼番号がＶＤＮであり、呼び出しをＩＭＳドメインからＣＳドメインに切り替えることを示す。
【００３２】
Ｚ００３０、ＣＳＣＦがＰＳＩに従ってＳＣＣ  ＡＳをトリガする。
【００３３】
Ｚ００４０、この場合にＳＣＣ  ＡＳとＲｅｍｏｔｅ（ＵＥ−Ｂ）の間がリンギング状態にあり、ＳＣＣ  ＡＳがＵＰＤＡＴＥにより、元の被呼側にＲｅ−ＩＮＶＩＴＥメディア切り替えを開始する。
【００３４】
Ｚ００５０、ＳＣＣ  ＡＳがＩＮＦＯメッセージによりＭＳＣにセッション関連情報を伝送する。
【００３５】
Ｚ００６０、ＵＥ−ＡがＣＳアクセスモードにおいてオフフックし、ＭＳＣがＩＮＦＯメッセージによりユーザのオフフックを通知する。ＳＣＣ  ＡＳがＵＥ−ＢにＩＮＶＩＴＥの２００ＯＫを送信し、ユーザのオフフックを示す。
【００３６】
Ｚ００７０、ＳＣＣ−ＡＳは、元のＵＥ−Ａの呼び出しを解放する。
【００３７】
Ｚ００８０、ユースケースが終了する。
【００３８】
具体的なシグナリング交換プロセスについて図７を参照する。以下に図７を参照して、リンギング状態における切り替えプロセスを説明する。
【００３９】
ステップ１、ＵＥ−ＡがＵＥ−Ｂの呼び出しを受信し、そしてリンギング状態にある。
【００４０】
ステップ２、ＵＥ−Ａが３Ｇに移しても、リンギング状態にあり、アクセスネットワークの原因で、ＳＲＶＣＣ切り替えを行う必要がある。
【００４１】
ステップ３−ステップ４、ＭＳＣがＣＳドメインにＵＥ−Ａの代わりにドメイン切り替えを開始し、被呼番号がＶＤＮであり、呼び出しをＩＭＳドメインからＣＳドメインに切り替えることを示す。
【００４２】
ステップ４ａ−ステップ８、ＣＳＣＦがＰＳＩに従ってＳＣＣ  ＡＳをトリガし、この時にＳＣＣ  ＡＳとＲｅｍｏｔｅ（ＵＥ−Ｂ）の間がリンギング状態にあり、ＳＣＣ  ＡＳがＵＰＤＡＴＥにより、元の発呼側にＲｅ−ＩＮＶＩＴＥにメディア切り替えを開始する。
【００４３】
ステップ９−ステップ１９、ＳＣＣ  ＡＳがＩＮＦＯメッセージによりＭＳＣにセッション関連情報を伝送する。
【００４４】
ステップ２０ａ−ステップ３５、ＵＥ−ＡがＣＳアクセスモードにおいてオフフックし、ＭＳＣがＩＮＦＯメッセージによりユーザのオフフックを通知する。ＳＣＣ  ＡＳがＵＥ−ＢにＩＮＶＩＴＥの２００ＯＫを送信し、ユーザのオフフックを示す。
【００４５】
ステップ３６−ステップ４１、ＳＣＣ−ＡＳが元のＵＥ−Ａの呼び出しを解放する。
【００４６】
ユーザがＩＭＳドメインとＣＳドメインに同じ番号を有し、切り替えユーザ（発呼側）より開始された呼び出しに対してリンギング状態にある場合でも、ＳＲＶＣＣ切り替えを行うことができる必要があり、それによって被呼ユーザがオフフックし、切り替えユーザがＣＳドメインに被呼側とセッションを確立することができ、図８を参照して、具体的なプロセスが以下の通りである。
Ｍ００１０、ＵＥ−Ａが、ＩＭＳドメインに呼び出しをＵＥ−Ｂに対して開始し、そしてＵＥ−Ｂがリンギングした後に、ＵＥ−Ａが無線アクセスの原因でＳＲＶＣＣ切り替えを行う必要がある。
【００４７】
Ｍ００２０、ＭＳＣがＣＳドメインにＵＥ−Ａの代わりにドメイン切り替えを開始し、被呼番号がＶＤＮであり、呼び出しをＩＭＳドメインからＣＳドメインに切り替えることを示す。
【００４８】
Ｍ００３０、ＣＳＣＦは、ＰＳＩに従ってＳＣＣ  ＡＳをトリガする。
【００４９】
Ｍ００４０、ＳＣＣ  ＡＳは、ドメイン切り替えを行い、ＵＥ−Ａの元のＩＭＳドメインの呼び出しを検索して、遠隔端末にＵＰＤＡＴＥを送信してメディアを更新する。
【００５０】
Ｍ００５０、ＳＣＣ  ＡＳがＩＮＦＯメッセージによりＭＳＣにセッション関連情報を送信する。
【００５１】
Ｍ００６０、ＵＥ−Ｂがオフフックし、ＳＣＣ  ＡＳがＭＳＣにオフフック２００ＯＫを送信する。
【００５２】
Ｍ００７０、ＳＣＣ−ＡＳがタイマーに基づいて元のＵＥ−Ａの呼び出しを解放する。
【００５３】
具体的なシグナリング交換プロセスについて図９を参照する。
【００５４】
ステップ１−ステップ２、ＵＥ−Ａが、ＩＭＳドメインに呼び出しをＵＥ−Ｂに対して開始し、そしてＵＥ−Ｂがリンギングした後に、ＵＥ−Ａが無線アクセスの原因でＳＲＶＣＣ切り替えを行う必要がある。
【００５５】
ステップ３−ステップ４、ＭＳＣがＣＳドメインにＵＥ−Ａの代わりにドメイン切り替えを開始し、被呼番号がＶＤＮであり、呼び出しをＩＭＳドメインからＣＳドメインに切り替えることを示す。
【００５６】
ステップ４ａ−ステップ８、ＣＳＣＦがＰＳＩに従ってＳＣＣ  ＡＳをトリガし、ＳＣＣ  ＡＳがドメイン切り替えを行い、ＵＥ−Ａの元のＩＭＳドメインの呼び出しを検索して、遠隔端末にＵＰＤＡＴＥを送信してメディアを更新する。
【００５７】
ステップ９−ステップ１９、ＳＣＣ  ＡＳがＩＮＦＯメッセージによりＭＳＣにセッション関連情報を送信する。
【００５８】
ステップ２０−ステップ２３、ＵＥ−Ｂがオフフックし、ＳＣＣ  ＡＳがＭＳＣにオフフック２００ＯＫを送信する。
【００５９】
ステップ２４−ステップ３３、ＳＣＣ−ＡＳは、タイマーに基づいて元のＵＥ−Ａの呼び出しを解放する。
【００６０】
上記の内容は、具体的な実施形態を参照して本発明に対して行われたさらなる詳しい説明であるが、本発明の具体的な実施がこれらの説明のみに限られると認められることができない。本発明が所属する技術分野の当業者にとって、本発明の概念から逸脱しない前提で、若干の簡単な演繹又は入れ替わりを行うことができ、これらが全て本発明の保護範囲に属すると見なされるべきである。
【産業上の利用可能性】
【００６１】
本発明により、端末は、ネットワークを切り替える時に、同じユーザ番号を使用して、ユーザの使用のために便利を与える。システムにおいて第一の端末装置が発呼側としてネットワークを切り替える時に、同じユーザ番号を使用して異なるネットワークに第二の端末装置と呼び出しを確立し、ＳＲＶＣＣシステムの動作効率を向上させ、同時に第一の端末装置が被呼側とする場合、ＩＭＳネットワークがユーザ位置情報を保存してＣＳネットワークにおけるＨＬＲのユーザ位置情報を更新することにより、第二の端末装置が第一の端末装置を呼び出す時に、第一の端末装置の存在する初期ネットワークを介して、第一の端末装置と呼び出しを確立して、第一の端末装置が同じユーザ番号を使用するのでネットワークを識別できない問題を解決することができる。
【図１】
2015523796.tif 000003
【図２】
2015523796.tif 000004
【図３】
2015523796.tif 000005
【図４】
2015523796.tif 000006
【図５】
2015523796.tif 000007
【図６】
2015523796.tif 000008
【図７】
2015523796.tif 000009
【図８】
2015523796.tif 000010
【図９】
2015523796.tif 000011
【国際調査報告】
2015523796.tif 000012
2015523796.tif 000013
2015523796.tif 000014
2015523796.tif 000015